(57)【要約】      （修正有）【課題】隔壁体を粘着シート体の粘着剤層によってスライドガラス本体から分離でき、スライドガラス本体の上面に載せた検査試料を、嵩張ることなくコンパクトに保存でき、スライドガラス本体の上面に於ける隔壁体内に検査試料を載せ易くなり、検査試料が隔壁体外に漏れるような虞がなく、取扱い易く、安全性が高く、構成簡素で、量産に適し、低廉で、経済的な標本用スライドガラスを提供する。【解決手段】スライドガラス本体Ａと、該スライドガラス本体Ａの上面に粘着シート体Ｃを介して接着する隔壁体Ｂとからなり、隔壁体Ｂは、粘着シート体Ｃの粘着剤層によってスライドガラス本体Ａから分離可能となるよう形成して、スライドガラス本体Ａの上面に載せた検査試料を保存できるよう構成する。【選択図】図１
0003165526.tif 000002
【実用新案登録請求の範囲】
【請求項１】
顕微鏡で検査試料が観察された後、この検査試料を標本として保存しておけるように構成された標本用スライドガラスであって、スライドガラス本体と、このスライドガラス本体の上面に粘着シート体を介して接着される隔壁体とからなり、隔壁体は、粘着シート体の粘着剤層によってスライドガラス本体から分離可能となるよう形成されて、スライドガラス本体の上面に載せられている検査試料を保存しておけるよう構成したことを特徴とする標本用スライドガラス。
【請求項２】
前記隔壁体は、枠状の外周壁と、この外周壁内を区画する適数の仕切壁とによって形成し、前記粘着シート体は、隔壁体の下端面形状に合致するように構成したことを特徴とする請求項１記載の標本用スライドガラス。
【請求項３】
前記粘着シート体は、樹脂製のベースフイルムと、このベースフイルムの上面に形成される接着剤層と、ベースフイルムの下面に形成される粘着剤層とからなり、接着剤層は隔壁体に接着され、粘着剤層はスライドガラス本体の上面に剥離可能に接着されるよう構成したことを特徴とする請求項１または請求項２記載の標本用スライドガラス。
【考案の詳細な説明】
【技術分野】
【０００１】
本考案は、例えば、細胞や細菌やウイルスやその他の適宜検査試料を顕微鏡等で観察した後に、この検査試料を標本として保存し易くなるように工夫した標本用スライドガラスに関するものである。
【背景技術】
【０００２】
従来、この種のスライドとしては、例えば、特許文献１に開示されているような疎水性防壁によって規定された反応区域を有するスライドがある。これは、実質的に矩形で平らなスライド基体の上面を、疎水性防壁部材によって少なくとも１つの反応区域の全境界を仕切るように形成し、しかも、前記疎水性防壁部材は、前記反応区域上に載せた一定量の水性溶液がその区域の境界を越えないような十分な高さまで上方向に突出させて構成したものである。
【先行技術文献】
【特許文献】
【０００３】
【特許文献１】特表２００２−５２６７８５号公報
【考案の概要】
【考案が解決しようとする課題】
【０００４】
ところが、前述の如きスライドにあっては、適宜検査試料を顕微鏡等で観察した後に、この検査試料を標本として保存する場合に、ある程度高さのある疎水性防壁部材によって嵩張ることとなり、よりコンパクトに保存することが難しい等の難点があった。
【課題を解決するための手段】
【０００５】
そこで、本考案は、前述のような難点等を解消すると共に、取扱い易く、構成が簡素で、量産に適し、比較的低廉で、経済的な標本用スライドガラスを提供すべく案出されたもので、請求項１にあっては、顕微鏡で検査試料が観察された後、この検査試料を標本として保存しておけるように構成された標本用スライドガラスであって、スライドガラス本体Ａと、このスライドガラス本体Ａの上面に粘着シート体Ｃを介して接着される隔壁体Ｂとからなり、隔壁体Ｂは、粘着シート体Ｃの粘着剤層７によってスライドガラス本体Ａから分離可能となるよう形成されて、スライドガラス本体Ａの上面に載せられている検査試料を保存しておけるよう構成する手段を採用した。
【０００６】
また、請求項２にあっては、前記隔壁体Ｂは、枠状の外周壁２と、この外周壁２内を区画する適数の仕切壁３とによって形成し、前記粘着シート体Ｃは、隔壁体Ｂの下端面形状に合致するように構成する手段を採用した。
【０００７】
更に、請求項３にあっては、前記粘着シート体Ｃは、樹脂製のベースフイルム５と、このベースフイルム５の上面に形成される接着剤層６と、ベースフイルム５の下面に形成される粘着剤層７とからなり、接着剤層６は隔壁体Ｂに接着され、粘着剤層７はスライドガラス本体Ａの上面に剥離可能に接着されるよう構成する手段を採用した。
【考案の効果】
【０００８】
従って、請求項１記載の標本用スライドガラスによれば、スライドガラス本体Ａの上面に載せた検査試料を顕微鏡で観察した後に、隔壁体Ｂを粘着シート体Ｃの粘着剤層７によってスライドガラス本体Ａから分離させることができ、スライドガラス本体Ａの上面に載せた検査試料を、嵩張ることなくコンパクトに保存できるようになる。
しかも、標本用スライドガラス自体の構成が簡素となり、量産に適し、比較的低廉で、経済的なものとなる。
加えて、スライドガラス本体Ａの上面に粘着シート体Ｃを介して隔壁体Ｂを接着してあるので、スライドガラス本体Ａの上面に於ける隔壁体Ｂ内に検査試料を載せ易くなると共に、検査試料が隔壁体Ｂ外に漏れるような虞のないものとなり、取扱い易く、安全性の高い標本用スライドガラスとなる。
【０００９】
また、請求項２記載の標本用スライドガラスによれば、一つのスライドガラス本体Ａの上面に複数の検査試料を載せることができるようになると共に、クロス・コンタミネーションが生じ難いものとなる。
【００１０】
更に、請求項３記載の標本用スライドガラスによれば、スライドガラス本体Ａの上面に隔壁体Ｂを確実に且つ簡単に接着することができ、しかも、スライドガラス本体Ａ上面から隔壁体Ｂを比較的簡単に剥離することができるようになる。加えて、剥離したときに、スライドガラス本体Ａの上面に粘着シート体Ｃの一部が残るような虞のないものとなる。
特に、粘着シート体Ｃは、加工が容易となり、隔壁体Ｂの形状に応じたものを簡単に形成できるようになる。
【図面の簡単な説明】
【００１１】
【図１】本考案の標本用スライドガラスを例示する分解斜視図である。
【図２】本考案の標本用スライドガラスを例示する部分断面図である。
【考案を実施するための形態】
【００１２】
以下、本考案を図示例に基づいて説明すると、次の通りである。
本考案は、例えば、細胞や細菌やウイルスやその他の適宜検査試料を顕微鏡等で観察した後に、この検査試料を標本として保存し易くした標本用スライドガラスである。
具体的には、スライドガラス本体Ａと、このスライドガラス本体Ａの上面に粘着シート体Ｃを介して接着される隔壁体Ｂとからなるものである。
そして、隔壁体Ｂは、粘着シート体Ｃの粘着剤層７によってスライドガラス本体Ａから分離可能となるよう形成されて、スライドガラス本体Ａの上面に載せられている検査試料を保存しておけるよう構成することにより、前述の如き課題を達成するものである。
【実施例】
【００１３】
前記スライドガラス本体Ａは、例えば、透明な適宜ガラスや、透明な適宜樹脂材によって矩形板状に形成され、その長手方向一端がわ部分には、標本の名称や、分析処理法や、その他の適宜情報が記載可能な情報表示部が設けられている。
尚、スライドガラス本体Ａの具体的形状や、寸法や、材質や、情報表示部の有無や、情報表示部の具体的構成、形状、寸法等は、図示例のもの等に限定されることなく、適宜自由に設定、変更できるものである。
【００１４】
前記隔壁体Ｂは、例えば、透明な適宜樹脂材によって上下が開放されている適宜矩形枠状を呈し、スライドガラス本体Ａの情報表示部１を除く部分に略合致するように形成されている。
しかも、図示例のものは、矩形枠状の外周壁２と、この外周壁２内を長手方向で二つに仕切る仕切壁３とで一体的に構成されている。
尚、隔壁体Ｂの具体的構成や、形状や、寸法や、材質や、外周壁２の具体的形状や、寸法や、仕切壁３の具体的形状や、寸法や、数や、配設位置等は、図示例のもの等に限定されることなく、適宜自由に設定、変更できるものである。
【００１５】
前記粘着シート体Ｃは、例えば、樹脂製のベースフイルム５と、このベースフイルム５の上面に形成される接着剤層６と、ベースフイルム５の下面に形成される粘着剤層７とからなり、接着剤層６は隔壁体Ｂに接着され、粘着剤層７はスライドガラス本体Ａの上面に剥離可能に接着されるよう構成されている。
しかも、粘着シート体Ｃは、隔壁体Ｂの下端面形状に合致するように切断して構成されている。
【００１６】
前記ベースフイルム５は、例えば、ポリプロピレンやＰＥＴ等の極めて薄い樹脂シート材によって構成されている。しかも、検査試料の検査結果に影響を与えないようなもの（例えば、細菌等に対して毒性がないもの）が採用される。
【００１７】
前記接着剤層６は、適宜接着剤で構成され、粘着シート体Ｃ（ベースフイルム５）を隔壁体Ｂに確実に且つ強力に接着できるようなものが採用されている。しかも、検査試料の検査結果に影響を与えないようなものが採用される。
尚、接着剤層６は、適宜粘着剤で構成し、その粘着力を利用して隔壁体Ｂに確実に且つ強力に接着できるようにしたものであっても良い。但し、この接着剤層６の粘着力は、粘着剤層７の粘着力よりも強いものでなければならない。
【００１８】
前記粘着剤層７は、適宜粘着剤で構成され、その粘着力を利用して粘着シート体Ｃ（ベースフイルム５）をスライドガラス本体Ａに剥離可能に接着できるものであれば良い。しかも、検査試料の検査結果に影響を与えないようなものが採用される。
特に、粘着剤層７に使用される粘着剤は、乾燥すると強力な粘着力を発揮でき、培養液や水に濡れた状態のときは粘着力が弱まって、剥離し易くなるように構成されたものが望ましい。
【００１９】
ところで、粘着シート体Ｃの具体的構成や、形状や、寸法や、材質や、ベースフイルム５の具体的形状や、寸法や、材質や、接着剤層６の具体的構成や、形状や、寸法や、材質や、粘着剤層７の具体的構成や、形状や、寸法や、材質等は、図示例等に限定されることなく、適宜自由に設定、変更できるものである。
【産業上の利用可能性】
【００２０】
しかして、本考案の標本用スライドガラスは、検査試料を顕微鏡で観察した後に、隔壁体Ｂをスライドガラス本体Ａから分離させることが簡単に行え、スライドガラス本体Ａの上面に載せた（マウントさせた）検査試料を、嵩張ることなくコンパクトに保存できるようになる。しかも、隔壁体Ｂで囲繞されたスライドガラス本体Ａの上面に検査試料を載せ易くなると共に、検査試料が隔壁体Ｂ外に漏れるような虞がなくなり、取扱い易く、安全性の高いものとなる。
【符号の説明】
【００２１】
Ａ      スライドガラス本体
Ｂ      隔壁体
Ｃ      粘着シート体
１      情報表示部
２      外周壁
３      仕切壁
５      ベースフイルム
６      接着剤層
７      粘着剤層
【図１】
0003165526.tif 000003
【図２】
0003165526.tif 000004